(57)【特許請求の範囲】
【請求項１】
織機上の織布の織り状態を反映する光を拾う受光部を備え、前記受光部における受光量に応じた電気信号を出力する光電センサを用いて織布の欠点の有無を検出する織布検反装置において、
織機の製織制御手段から独立して織機の状態を製織状態及び製織停止状態のいずれか一方として検出する織機状態検出手段を備え、前記受光部は、織布の織幅方向に移動するセンサヘッドに搭載されており、前記織機状態検出手段は、織機が製織状態にあるときの前記電気信号の第１の基準特性を設定する第１の基準特性設定手段と、織機が製織停止状態にあるときの前記電気信号の第２の基準特性を設定する第２の基準特性設定手段と、前記光電センサから出力された前記電気信号の特性を検出する特性検出手段と、前記特性検出手段によって検出された特性が前記第１の基準特性及び第２の基準特性のいずれに該当するかを判定する特性判定手段とを備えている織機における織布検反装置。
【請求項２】
前記光電センサから出力される電気信号に基づいて欠点の有無を判定する欠点有無判定手段と、前記織機状態検出手段が織機の製織停止状態を検出したときには前記欠点有無判定手段の欠点有りの判定を無効化する無効化手段とを備えている請求項１に記載の織機における織布検反装置。
【請求項３】
前記電気信号の特性は、経糸の配列ピッチに対応した周波数の分布特性である請求項１及び請求項２のいずれか１項に記載の織機における織布検反装置。
【発明の詳細な説明】
【０００１】
【発明の属する技術分野】
本発明は、織機上の織布の織り状態を反映する光を拾う受光部を備え、前記受光部における受光量に応じた電気信号を出力する光電センサを用いて織布の欠点の有無を検出する織布検反装置に関するものである。
【０００２】
【従来の技術】
経糸は隣合う筬羽間に一定本数単位で通されているが、例えばある筬羽間では経糸の通し本数が規定に足りず、隣の筬羽間で経糸の通し本数が規定よりも多いといった状況が生じることもある。このような状況が続くと、いわゆる経筋が織布上に生じ、不良織布ができてしまう。製織中における織布上の経筋のような欠点を検出する織布検反装置は、例えば特開昭６０−２３１８５０号公報、特開平８−２０１３１０号公報に開示されている。織布上に光を当てて織布からの反射光を拾うセンサヘッドは、織布の織幅方向に往復走行する。織布上の欠点が検出されると製織が停止され、欠点を生じさせないための処置が行われる。
【０００３】
【発明が解決しようとする課題】
織機上の織布の検反は製織中に行なうものであるため、この種の織布検反装置を織機に装着する場合には、製織開始、製織停止を制御する織機側の製織制御手段の製織停止指令、製織開始指令に合わせて織布検反装置を検反停止、検反開始させる構成が採用される。従って、織機側の製織制御手段の製織制御状態と織布検反装置の検反制御状態とを連動させる構成が要求される。しかし、このような構成の要求は、織機側の製織制御手段の仕様に合わせた織布検反装置側の検反制御手段の構築を必要とするが、織機側の製織制御手段の仕様が異なれば織布検反装置側の検反制御手段の構築内容も変えなければならない。そのため、織機側の製織制御手段の各仕様に合わせた織布検反装置を各種用意しなければならない。これは織布検反装置のコストアップをもたらす。
【０００４】
本発明は、織機側の製織制御手段の仕様に合わせる必要のない織布検反装置を提供することを目的とする。
【０００５】
【課題を解決するための手段】
そのために本発明では、織機上の織布の織り状態を反映する光を拾う受光部を備え、前記受光部における受光量に応じた電気信号を出力する光電センサを用いて織布の欠点の有無を検出する織布検反装置を対象とし、請求項１の発明では、織機の製織制御手段から独立して織機の状態を製織状態及び製織停止状態のいずれか一方として検出する織機状態検出手段を備えた織布検反装置を構成し、前記受光部を搭載して織布の織幅方向に移動するセンサヘッドを備えた織布検反装置を構成し、織機が製織状態にあるときの前記電気信号の第１の基準特性を設定する第１の基準特性設定手段と、織機が製織停止状態にあるときの前記電気信号の第２の基準特性を設定する第２の基準特性設定手段と、前記光電センサから出力された前記電気信号の特性を検出する特性検出手段と、前記特性検出手段によって検出された特性が前記第１の基準特性及び第２の基準特性のいずれに該当するかを判定する特性判定手段とを備えた前記織機状態検出手段を構成した。
【０００６】
織布検反装置は、織機状態検出手段の検出結果に基づいて織機側の製織制御手段から独立して製織状態及び製織停止状態のいずれかを把握できる。また、検反用の光電センサを用いて織機の状態を特定する構成は簡便である。
請求項２の発明では、請求項１において、前記光電センサから出力される電気信号に基づいて欠点の有無を判定する欠点有無判定手段と、前記織機状態検出手段が織機の製織停止状態を検出したときには前記欠点有無判定手段の欠点有りの判定を無効化する無効化手段とを備えた織布検反装置を構成した。
【０００７】
製織停止状態において欠点有無判定手段が欠点有りの判定を行なった場合、無効化手段は前記欠点有無判定手段の欠点有りの判定を無効化する。従って、製織停止状態における欠点有り検出の結果による警報といった不要な対処が行われることはない。
【０００９】
請求項３の発明では、請求項１又は２において、前記電気信号の特性は、経糸の配列ピッチに対応した周波数の分布特性とした。
【００１０】
前記周波数の分布特性は、織布の振動をもたらす製織状態と、織布の振動をもたらさない製織停止状態とでは異なる。このような周波数の分布特性の差異が織機の状態の特定を可能にする。
【００１１】
【発明の実施の形態】
以下、本発明を具体化した第１の実施の形態を図１〜図９に基づいて説明する。
【００１２】
図１に示すように、織布Ｗの上方には支持バー１０が織布Ｗの織幅方向、即ち緯糸の糸方向に配設されている。支持バー１０にはレール１１、検反モータ１３及びガイドプーリ１６が取り付けられている。検反モータ１３の出力軸には駆動プーリ１５が止着されており、駆動プーリ１５とガイドプーリ１６とには無端状ベルト１２が巻き掛けられている。無端状ベルト１２は検反モータ１３の往復駆動によって往復周回する。図２及び図３に示すように、レール１１にはセンサヘッド１４がスライド可能に支持されており、無端状ベルト１２にはセンサヘッド１４が止着されている。センサヘッド１４は無端状ベルト１２の往復周回によってレール１１に沿った走査経路を往復動する。検反モータ１３、プーリ１５，１６、無端状ベルト１２及びレール１１は往復走行手段を構成する。
【００１３】
センサヘッド１４は、投光器１７、結像レンズ１８、受光部かつ光電センサとなる一対の受光素子１９，２０及び信号処理回路基板２１を備えている。投光器１７から投射された光は織布Ｗ上に向けられる。結像レンズ１８は織布Ｗの上面の像を一対の受光素子１９，２０の受光面に一致する平面上に結像する。受光素子１９，２０は、経糸Ｔの糸配列方向の幅が狭く、かつ経糸Ｔの糸方向へ長い形状である。
【００１４】
図４の検知範囲１９１は結像レンズ１８によって受光素子１９上に結像される織布Ｗ上の範囲を表し、検知範囲２０１は結像レンズ１８によって受光素子２０上に結像される織布Ｗ上の範囲を表す。経糸Ｔの糸配列方向の検知範囲１９１，２０１の幅は同じｈであり、幅ｈは経糸Ｔの糸配列ピッチＰの半分Ｐ／２よりも小さくしてある。又、検知範囲１９１，２０１の経糸Ｔの糸方向の長さは同じであり、この長さは緯糸Ｙを例えば１０本程度含むぐらいの長さにしてある。そして、両検知範囲１９１，２０１は経糸Ｔの糸配列方向に糸配列ピッチＰの半分だけずらしてある。
【００１５】
図５の右向きの矢印Ｑ１で囲まれた領域はセンサヘッド１４の右方向への移動による織布Ｗ上における検知範囲１９１，２０１の走査範囲を表す。センサヘッド１４は織幅の端部で反転して走行するようになっている。左向きの矢印Ｑ２で囲まれた領域はセンサヘッド１４の左方向への移動による織布Ｗ上における検知範囲１９１，２０１の走査範囲を表す。即ち、検反時にはセンサヘッド１４上の投光器１７からの投射光は織布Ｗの織幅方向に走査する。織布Ｗは矢印Ｒの方向に移動する。
【００１６】
受光素子１９，２０は受け取った光を電流に変換する。この変換電流信号は受光量に応じた電気信号になる。図５の回路は信号処理回路基板２１上の回路構成を表す。受光素子１９は変換電流信号を電流−電圧変換回路２８に出力し、受光素子２０は変換電流信号を電流−電圧変換回路２９に出力する。電流−電圧変換回路２８，２９は変換電流信号を電圧信号Ｓ１，Ｓ２に変換して差演算回路３０に出力する。図６の波形Ｓ１は電流−電圧変換回路２８から出力される電圧信号を表し、波形Ｓ２は電流−電圧変換回路２９から出力される電圧信号を表す。なお、電圧信号Ｓ１，Ｓ２の値の変動は、例えば出力電圧１ボルトに対して５ミリボルト程度という僅かなものである。
【００１７】
差演算回路３０は両電流−電圧変換回路２８，２９から入力する電圧信号Ｓ１，Ｓ２の値の差を演算する。図６の波形ΔＳは差演算回路３０から出力される差信号を表す。差演算回路３０は演算して得られた差信号ΔＳをバンドパスフィルタ３１を経由して比較回路３２に出力する。バンドパスフィルタ３１は差信号ΔＳの周波数近辺の周波数の信号以外の波形信号をカットする。
【００１８】
比較回路３２は入力した差信号ΔＳと基準値設定回路３３によって予め設定された基準値Ｖ（＞０）とを比較する。差信号ΔＳの値が基準値Ｖを越えると、比較回路３２は図６に波形Ｈで示す信号を制御信号発生回路３４に出力する。制御信号発生回路３４は波形Ｈの立ち上がり部に対応して図６にパルス状波形で示す制御信号Ｋをカウンタ３５に出力する。カウンタ３５は基準クロック３６から出力されるパルス信号の数に基づいて各制御信号Ｋ間の時間間隔ｔｘの計測を行なう。この計測情報は比較回路３７に送られる。
【００１９】
比較回路３７は、基準値設定回路３８によって予め設定された基準間隔〔ｔｏ−Δｔ，ｔｏ＋Δｔ〕と計測された時間間隔ｔｘとの比較を行なう。ｔｘが〔ｔｏ−Δｔ，ｔｏ＋Δｔ〕の範囲外にあれば、比較回路３７は異常検出信号を出力する。ｔｘが〔ｔｏ−Δｔ，ｔｏ＋Δｔ〕の範囲内にあれば、比較回路３７は異常検出信号を出力しない。
【００２０】
センサヘッド１４の移動速度をｖ、結像レンズ１８の倍率をｍとすると、結像レンズ１８によって受光素子１９，２０の受光平面上に結合される像は速度ｍｖで移動する。経糸Ｔの糸配列ピッチＰよりも小さい幅ｈの検知範囲１９１，２０１は糸配列ピッチＰの半分Ｐ／２だけ経糸Ｔの配列方向にずらしてある。従って、経糸Ｔの糸配列ピッチが常に所定の糸配列ピッチＰに等しいならば、制御信号Ｋの時間間隔ｔｘはＰ／ｍｖにほぼ等しい。Ｐ／ｍｖは基準値ｔｏとして採用されており、Δｔは許容公差である。
【００２１】
比較回路３２、基準値設定回路３３、制御信号発生回路３４、カウンタ３５、基準クロック３６、基準値設定回路３８及び比較回路３７から構成される欠点有無判定手段Ｃ２は、差演算回路３０によって演算された差ΔＳに基づいて欠点有無の判定を行なう。この差ΔＳの演算は照明光、風綿といった外乱の影響による電気信号の変化を排除する。
【００２２】
経糸Ｔは隣合う筬羽間に一定本数単位で通されているが、例えばある筬羽間では経糸の通し本数が規定に足りず、隣の筬羽間で経糸の通し本数が規定よりも多いといった状況が生じることもある。このような状況が続くと、いわゆる経筋が織布上に生じ、不良織布ができてしまう。図６では織布Ｗの織幅方向の領域Ｗ１が経筋発生による粗な部分を表し、領域Ｗ２が経筋発生による密な部分を表す。受光素子１９，２０の検知範囲１９１，２０１の経糸Ｔの糸配列方向の幅ｈは経糸Ｔの糸配列ピッチＰ以下に設定してあり、両検知範囲１９１，２０１は糸配列方向に糸配列ピッチＰの半分Ｐ／２だけずらしてある。各受光素子１９，２０の検知範囲１９１，２０１の幅が糸配列ピッチＰ以下であるため、検知範囲１９１，２０１の一方が経糸Ｔの配列位置上にある場合に得られる電気信号の値と、他方が隣合う経糸Ｔの配列位置の間にある場合に得られる電気信号の値との差が最も大きくなる。従って、糸配列ピッチＰの半分Ｐ／２だけ検知範囲１９１，２０１の移動方向へ両検知範囲１９１，２０１をずらすことによって電気信号Ｓ１，Ｓ２の値の差ΔＳが最も大きくなる。この差ΔＳが大きいほど欠点有無の判定が正確になる。
【００２３】
検反モータ１３は走査制御装置Ｃ１の制御を受ける。図４に示すように、走査制御装置Ｃ１は、駆動制御回路２３と駆動回路２４とからなる。駆動制御回路２３は予め設定された走査プログラムに基づいて検反モータ１３の往復作動を指令する。駆動回路２４は、駆動制御回路２３の走査制御指令及び検反モータ１３に組み込まれたロータリエンコーダ１３１からの回転位置情報に基づいて検反モータ１３の往復作動をフィードバック制御する。駆動制御回路２３には走査開始スイッチ２６及び走査停止スイッチ２７が信号接続されている。駆動制御回路２３は走査開始スイッチ２６のＯＮ操作により検反モータ１３を作動開始する。駆動制御回路２３は走査停止スイッチ２７のＯＮ操作により検反モータ１３の作動を停止する。
【００２４】
比較回路３７には出力回路３９が信号接続されており、出力回路３９には警報装置２５が信号接続されている。織機駆動モータＭの作動を制御する織機制御コンピュータＣｏ及び駆動制御回路２３には出力回路３９が信号接続されている。又、出力回路３９にはロータリエンコーダ１３１が信号接続されている。織機制御コンピュータＣｏには起動スイッチ２２及び製織停止信号発生器４０が信号接続されている。起動スイッチ２２をＯＮ操作すれば織機制御コンピュータＣｏは織機駆動モータＭを作動開始する。製織停止信号発生器４０は、例えば緯入れミス検出器、経糸切れ検出器等であり、製織停止信号発生器４０が製織停止信号を出力すると織機制御コンピュータＣｏは織機駆動モータＭの作動を停止して製織を停止する。
【００２５】
バンドパスフィルタ３１には周波数演算回路４１が信号接続されており、周波数演算回路４１には統計演算回路４２が信号接続されている。統計演算回路４２には比較回路４３が信号接続されており、比較回路４３には基準値設定回路４４が信号接続されている。
【００２６】
周波数演算回路４１は、バンドパスフィルタ３１から出力される差信号ΔＳに基づいて波形頂部間の時間間隔の逆数、即ち周波数ｆを演算する。図７（ａ）の棒グラフは、織機を運転していないとき、即ち製織停止状態において所定数（例えば１００個）サンプリングした周波数の分布を表す。図７（ｂ）の棒グラフは、織機を運転しているとき、即ち製織状態において前記所定数サンプリングした周波数の分布を表す。各グラフの横軸は周波数を表し、縦軸は個数を表す。図７（ａ），（ｂ）の鎖線曲線Ｇ１，Ｇ２は、サンプリング数を増やしてゆくと共に、グラフの棒の幅を小さくしていった極限状態、即ち所定のサンプリング数から標準偏差演算という統計処理で得た周波数分布を表す。
【００２７】
基準値設定回路４４には基準値Ｘｏが予め設定されている。基準値Ｘｏは次式（１）で表される。
Ｘｏ＝（Ａ１＋Ｂ１）／２  ・・・（１）
Ａ１は図７（ａ）の一点鎖線Ｌ１と鎖線曲線Ｇ１との交点の間の幅Ａｏの所定割合（例えば１／３）となる特性値であり、Ｂ１は図７（ｂ）の一点鎖線Ｌ２と鎖線曲線Ｇ２との交点の間の幅Ｂｏの前記所定割合となる特性値である。一点鎖線Ｌ１は鎖線曲線Ｇ１と横軸とで囲まれる面積を所定割合比（例えば９対１）に分割する線であり、一点鎖線Ｌ２は鎖線曲線Ｇ２と横軸とで囲まれる面積を前記所定割合比に分割する線である。図示の例では幅Ｂｏは幅Ａｏよりも大きく、特性値Ｂ１は特性値Ａ１よりも大きい。即ち、基準値Ｘｏは特性値Ａ１と特性値Ｂ１との中間にある。基準値Ｘｏ以上の特性値は第１の基準特性となり、基準値Ｘｏより小さい特性値は第２の基準特性となる。
【００２８】
統計演算回路４２は、周波数を所定数サンプリングする毎に鎖線曲線Ｇ１，Ｇ２で示すような周波数分布を統計処理して算出する。統計演算回路４２は、所定のサンプリング数から統計処理して算出した周波数分布に基づいて特性値Ｘを刻々と算出する。比較回路４３は、統計演算回路４２から得られる特性値Ｘと基準値Ｘｏとの大小比較を行なう。周波数演算回路４１、統計演算回路４２及び基準値設定回路４４と共に織機状態検出手段Ｃ３を構成する比較回路４３は、出力回路３９に信号接続されている。
【００２９】
出力回路３９、織機状態検出手段Ｃ３及び織機制御コンピュータＣｏは図８及び図９のフローチャートで示す検反制御プログラムを遂行する。
検反モータ１３は作動状態にあり、センサヘッド１４が往復走行しているとする。統計演算回路４２から出力される特性値Ｘが基準値Ｘｏ以上の場合、比較回路４３は製織状態信号を出力回路３９に出力する。統計演算回路４２から出力される特性値Ｘが基準値Ｘｏに達しない場合、比較回路４３は製織停止状態信号を出力回路３９に出力する。
【００３０】
出力回路３９は、ロータリエンコーダ１３１からの回転位置情報に基づいてセンサヘッド１４の走査速度Ｖｘを把握している。比較回路３７が異常検出信号を出力したとき、センサヘッド１４の走査速度Ｖｘが速度ｖであり、かつ比較回路４３が製織状態信号を出力しているときには出力回路３９は異常検出信号を有効化する。この有効化状態では出力回路３９は、運転停止信号を織機制御コンピュータＣｏに出力すると共に、警報信号を出力する。織機制御コンピュータＣｏは運転停止信号の入力に応答して織機駆動モータＭの作動を停止して製織を停止する。警報装置２５は警報信号の入力に基づいて作動する。
【００３１】
比較回路３７が異常検出信号を出力したとき、センサヘッド１４の走査速度Ｖｘが速度ｖであり、かつ比較回路４３が製織停止状態信号を出力しているときには出力回路３９は異常検出信号を無効化する。この無効化状態では出力回路３９は警報信号を出力しない。又、センサヘッド１４の走査速度Ｖｘが速度ｖでないとき、例えばセンサヘッド１４が織布Ｗの端部で減速停止してから反転走行するときには、出力回路３９は比較回路３７からの異常検出信号を無効化する。
【００３２】
第１の実施の形態では以下の効果が得られる。
（１-1）織機制御コンピュータＣｏは織機駆動モータＭの作動を制御する製織制御手段であるが、織機状態検出手段Ｃ３は織機制御コンピュータＣｏの製織制御状態から独立して織機の状態を検出する。即ち、織機状態検出手段Ｃ３は、織機制御コンピュータＣｏから製織開始情報及び製織停止情報を得ることなく製織状態か否かを判断できる。図４に示すように、このような織機状態検出手段Ｃ３を備えた織布検反装置４９は、織機制御コンピュータＣｏの製織制御状態から独立して織機の状態を把握できる。従って、織機制御コンピュータＣｏの制御仕様に合わせて織布検反装置を各種用意する必要がなく、織布検反装置のコストアップが抑制される。
（１-2）この実施の形態では、走査停止スイッチ２７をＯＮ操作しない限り、製織停止状態においてもセンサヘッド１４が往復走行して検反が行われる。従って、製織停止状態においても欠点有無判定手段Ｃ２が欠点有りの判定を行なうこともある。製織停止状態において欠点有無判定手段Ｃ２が欠点有りの判定を行なった場合、無効化手段である出力回路３９は欠点有無判定手段Ｃ２の欠点有りの判定を無効化する。従って、製織停止状態における欠点有り検出の結果による警報といった不要な対処が行われることはない。
（１-3）基準値設定回路４４及び比較回路４３は、製織状態における光電センサからの電気信号の第１の基準特性を設定する第１の基準特性設定手段、及び製織停止状態における前記電気信号の第２の基準特性を設定する第２の基準特性設定手段を構成する。周波数演算回路４１及び統計演算回路４２は前記電気信号の特性を検出する特性検出手段を構成し、基準値設定回路４４及び比較回路４３は、前記特性検出手段によって検出された特性が前記第１の基準特性及び第２の基準特性のいずれに該当するかを判定する特性判定手段を構成する。検反用の光電センサである受光素子１９，２０を用いて織機の状態を特定する構成は簡便である。
（１-4）受光素子１９，２０からなる光電センサは、経糸Ｔの配列ピッチに対応した周波数成分を取り出すが、前記周波数の分布特性は、織布Ｗの振動をもたらす製織状態と、織布Ｗの振動をもたらさない製織停止状態とでは図７（ａ），（ｂ）に示すように異なる。このような周波数の分布特性の差異は、製織状態か否かの誤りのない判定を可能にする。
（１-5）統計処理を施した後の周波数の分布特性は、製織状態における分布特性と製織停止状態における分布特性との差異を一層際立たせ、製織状態か否かの識別が容易となる。
【００３３】
次に、図１０の第２の実施の形態を説明する。第１の実施の形態と同じ構成部には同じ符号が付してある。
この実施の形態では、速度検出器４６が支持バー１０に取り付けられており、速度検出器４６の回転体４６１が織布Ｗの上面に押接されている。回転体４６１は織布Ｗの移動に伴って回転し、速度検出器４６は回転体４６１の回転速度から織布Ｗの移動速度を検出する。製織停止状態では織布Ｗの移動速度は零であり、出力回路４５は速度検出器４６からの織布移動速度情報に基づいて織機の状態を判定する。製織停止状態の判定のときには出力回路４５は欠点有無判定手段Ｃ２を含む信号処理回路基板２１からの異常検出信号を無効化する。走査制御装置Ｃ４を構成する駆動制御回路５０は速度検出器４６からの織布移動速度情報に基づいて検反モータ１３の作動を制御する。駆動制御回路５０は製織状態では検反モータ１３を作動し、製織停止状態では検反モータ１３の作動を停止する。
【００３４】
速度検出器４６は織機状態検出手段となり、第２の実施の形態では第１の実施の形態における（１-1）項と同じ効果が得られる。又、第１の実施の形態における走査開始スイッチ２６及び走査停止スイッチ２７が不要となり、織布検反装置の構成が簡素になる。さらに、欠点有りの判定に伴って製織が停止するとセンサヘッド１４が欠点検出位置付近に停止し、作業者が欠点位置を見つけ出す作業が容易になる。
【００３５】
次に、図１１の第３の実施の形態を説明する。第２の実施の形態と同じ構成部には同じ符号が付してある。
この実施の形態では、振動検出器４８が支持バー１０に取り付けられている。製織停止状態では支持バー１０の振動はなく、出力回路４７は振動検出器４８からの振動情報に基づいて織機の状態を判定する。製織停止状態の判定のときには出力回路４５は欠点有無判定手段Ｃ２を含む信号処理回路基板２１からの異常検出信号を無効化する。走査制御装置Ｃ５を構成する駆動制御回路５１は振動検出器４８からの振動情報に基づいて検反モータ１３の作動を制御する。駆動制御回路５０１は製織状態では検反モータ１３を作動し、製織停止状態では検反モータ１３の作動を停止する。
【００３６】
振動検出器４８は織機状態検出手段となり、第３の実施の形態では第２の実施の形態と同じ効果が得られる。
本発明では以下のような実施の形態も可能である。
（１）第１の実施の形態において、欠点有りの判定が行われたときには製織を停止させることなく警報装置２５を作動させるようにすること。
（２）第１の実施の形態において、特性値Ａ１，Ａ２を求めるような演算処理を行わず、統計処理により求められた周波数分布の標準偏差値を基準値と比較することにより、織機の状態を判定するようにすること。この場合、標準偏差値が基準値よりも大きい場合は、織機が製織状態にあると判定する。又、周波数分布の最大値（最大度数値）を基準値と比較して織機の状態を判定すること。この場合、周波数分布の最大値が基準値より大きいときに織機は製織停止状態にあると判定する。
（３）織機には織機の回転位置を検出するための回転検出器が装着されているが、この回転検出器の回転位置情報から織機の状態を検出する織布検反装置を構成すること。
【００３７】
【発明の効果】
以上詳述したように本発明では、織機の製織制御手段から独立して織機の状態を製織状態及び製織停止状態のいずれか一方として検出する織機状態検出手段を備えた織布検反装置を構成したので、織機側の製織制御手段の仕様毎に合わせるために多種の織布検反装置を用意する必要がないという優れた効果を奏する。
【図面の簡単な説明】
【図１】第１の実施の形態を示し、センサヘッドの拡大断面図を組み込んだ正面図。
【図２】図１のＡ−Ａ線断面図。
【図３】図１のＢ−Ｂ線断面図。
【図４】織布上の検知範囲、信号処理回路、織機状態検出手段及び走査制御装置の組み合わせ図。
【図５】検知範囲の走査領域を示す略体平面図。
【図６】信号処理回路における信号処理を説明するグラフ。
【図７】（ａ）は製織停止状態における周波数分布特性を示すグラフ。（ｂ）は製織状態における周波数分布特性を示すグラフ。
【図８】検反制御プログラムを示すフローチャート。
【図９】検反制御プログラムを示すフローチャート。
【図１０】第２の実施の形態を示し、センサヘッドの拡大断面図を組み込んだ正面図。
【図１１】第３の実施の形態を示し、センサヘッドの拡大断面図を組み込んだ正面図。
【符号の説明】
１４…センサヘッド、１９，２０…受光部かつ光電センサとなる受光素子、４３…第１及び第２の基準特性設定手段、特性判定手段を構成する比較回路、４４…第１及び第２の基準特性設定手段を構成する基準値設定回路、Ｃｏ…製織制御手段となる織機制御コンピュータ、Ｃ３…織機状態検出手段。
【図１】
0003817914.tif 000002
【図２】
0003817914.tif 000003
【図３】
0003817914.tif 000004
【図４】
0003817914.tif 000005
【図５】
0003817914.tif 000006
【図６】
0003817914.tif 000007
【図７】
0003817914.tif 000008
【図８】
0003817914.tif 000009
【図９】
0003817914.tif 000010
【図１０】
0003817914.tif 000011
【図１１】
0003817914.tif 000012